(57)【要約】【課題】不所望な大量メッセージに対する拒否措置が存在するにもかかわらず、通信ネットワークにおいて複数の受信者に向けられるメッセージを形成および配布することができる方法と装置を提供する。【解決手段】伝送すべきメッセージを、メッセージの内容的な意味を規定する少なくとも１つの意味論的な特徴と、メッセージの形態を規定する多数の形式的な特徴とによって特徴付け、伝送すべきメッセージに対して、メッセージの多数の固有特徴を形成し、メッセージの各固有特徴は形式的な特徴に関してある程度、メッセージの別の固有特徴とは異なり、メッセージの各固有特徴を少なくとも一人の受信者に送信する。【選択図】図１
2007329932.tif 000002
【特許請求の範囲】
【請求項１】
通信ネットワークにおいて多数の受信者に向けられるメッセージ（Ｎ）を形成し配布する方法において、
伝送すべきメッセージ（Ｎ）を、該メッセージの内容的な意味を規定する少なくとも１つの意味論的な特徴と、該メッセージの形態を規定する多数の形式的な特徴とによって特徴付け、
伝送すべき前記メッセージ（Ｎ）に対して、該メッセージ（Ｎ）の多数の固有特徴（ＡＮ）を形成し、
前記メッセージ（Ｎ）の各固有特徴（ＡＮ）は前記形式的な特徴に関してある程度、前記メッセージ（Ｎ）の別の固有特徴（ＡＮ）とは異なり、
前記メッセージ（Ｎ）の各固有特徴（ＡＮ）を少なくとも一人の受信者に送信することを特徴とする、通信ネットワークにおいて多数の受信者に向けられるメッセージ（Ｎ）を形成し配布する方法。
【請求項２】
前記メッセージ（Ｎ）は、例えば広告を目的とする、音声媒体を用いて音響的に再生される音声情報を包含する、請求項１記載の方法。
【請求項３】
音声情報をテキストファイル（ＴＤ）を基礎とする音声合成により形成する、請求項２記載の方法。
【請求項４】
音声情報を人間による発声者が予め発声し、さらなる使用のために記憶する、請求項２記載の方法。
【請求項５】
前記音声情報に可変である発声者の特徴を割り当てる、請求項３または４記載の方法。
【請求項６】
前記メッセージ（Ｎ）の固有特徴（ＡＮ）を、パルスを含む背景ノイズおよび／または背景音響および／または背景音楽と共に格納し、前記パルスを含む背景ノイズおよび／または背景音響および／または背景音楽を前記メッセージ（Ｎ）の各固有特徴（ＡＮ）について変更する、および／または、新たに形成する、請求項１から５までのいずれか１項記載の方法。
【請求項７】
前記メッセージ（Ｎ）の固有特徴（ＡＮ）の前記音声情報の個々の単語間および／または個々の文章間にランダムな遅延を挿入する、請求項１から６までのいずれか１項記載の方法。
【請求項８】
前記発声者の特徴を前記メッセージ（Ｎ）の固有特徴（ＡＮ）について、例えば基本周波数、フォルマント、アクセントの特性または話す速さに関して、前記音声情報の文章ごとおよび／または単語ごとに変更し、該変更を前記メッセージ（Ｎ）の各固有特徴（ＡＮ）において可変のパターンにしたがい実施する、請求項５記載の方法。
【請求項９】
前記音声情報を複数のキーワードの種々の組み合わせを用いて変更する、請求項１から８までのいずれか１項記載の方法。
【請求項１０】
前記音声情報を名メモリ（ＶＮＳ）からの名と姓メモリ（ＮＮＳ）からの姓の種々の組み合わせを用いて変更する、請求項１から９までのいずれか１項記載の方法。
【請求項１１】
前記メッセージ（Ｎ）の各固有特徴（ＡＮ）に関して、音声メッセージの声の音量を可変のパターンを用いて変更する、請求項１から１０までのいずれか１項記載の方法。
【請求項１２】
前記音声情報をテキストファイル（ＴＤ）を基礎とする歌声合成により形成し、基礎とするメロディーを前記メッセージ（Ｎ）の各固有特徴（ＡＮ）において変更する、請求項１から１１までのいずれか１項記載の方法。
【請求項１３】
前記メッセージ（Ｎ）の固有特徴（ＡＮ）をビデオ部分と組み合わせ、該ビデオ部分を前記メッセージ（Ｎ）の各固有特徴（ＡＮ）について変更する、請求項１から１２までのいずれか１項記載の方法。
【請求項１４】
伝送すべき前記メッセージ（Ｎ）および／または前記メッセージ（Ｎ）の固有特徴（ＡＮ）は、ＶｏＩＰ通信ネットワークにおいて送信するためのＶｏＩＰメッセージを表す、請求項１から１３までのいずれか１項記載の方法。
【請求項１５】
通信ネットワークにおいて多数の受信者に向けられるメッセージ（Ｎ）を形成し配布する装置において、
伝送すべきメッセージ（Ｎ）が、該メッセージの内容的な意味を規定する少なくとも１つの意味論的な特徴と、該メッセージの形態を規定する多数の形式的な特徴とによって特徴付けられており、
伝送すべき前記メッセージ（Ｎ）の多数の固有特徴（ＡＮ）を形成する手段を有し、前記メッセージ（Ｎ）の各固有特徴（ＡＮ）は前記形式的な特徴に関してある程度、前記メッセージ（Ｎ）の別の固有特徴（ＡＮ）とは異なり、
前記メッセージ（Ｎ）の各固有特徴（ＡＮ）を前記通信ネットワークにおける少なくとも一人の受信者に送信する手段を有することを特徴とする、通信ネットワークにおいて多数の受信者に向けられるメッセージ（Ｎ）を形成し配布する装置。
【請求項１６】
請求項１５記載の装置を少なくとも１つ有する通信ネットワーク。
【請求項１７】
請求項１５記載の装置を少なくとも１つ有するＶｏＩＰ通信ネットワーク。
【発明の詳細な説明】
【技術分野】
【０００１】
本発明は、通信ネットワークにおいて多数の受信者に向けられるメッセージを形成し配布する方法と装置に関する。この方法と装置においてはこの種のメッセージの拒否を防止するための措置が講じられる。
【背景技術】
【０００２】
電子通信ネットワークにおけるメッセージの配布は広告者にとって魅力的な方法である。何故ならば、電子媒体への簡単且つ好都合なアクセスにより通常の場合比較的僅かな時間とコストで多数の受信者にメッセージを送信できるからである。大量に送信されるメッセージの公知の形態としていわゆるスパムがある。スパムとは不所望なメッセージ、例えばＥメールの大量送信を表す。Ｅメールスパムの他にも別の形態のスパム、例えばインスタントメッセージ、ユーズネットニュースグループ、ＷＷＷ検索エンジン、ウェブログまたは移動無線に関するスパムも存在する。
【０００３】
不所望な大量メッセージに対する拒否メカニズムは多数存在している。例えば、Ｅメールプログラムはこの種のメッセージを識別できることが多い。さらには、例えばインターネットサービスプロバイダはスパムからの保護のために不所望なＥメールの発送を阻止する有償のサービスを提供していることが多い。
【０００４】
インターネット電話（Ｖｏｉｓ  ｏｖｅｒ  ＩＰ、略してＶｏＩＰ）が普及すると共に、広告者にとってメッセージの新しい配布形態が提供されている。目下のところ、一般のＰＳＴＮ加入者（ＰＳＴＮ：公衆交換電話網）に対する電話広告は通常の場合、常に発呼者の負担となるように課金される。これに対してＶｏＩＰ加入者に対する発呼は異なる課金モデルに基づき発呼者にとってほぼ無料で行うことができるので、これは広告者にとって有利である。殊に、例えば録音された音声ファイルを自動的な発呼マシンによって大量に送信できる可能性は広告者にとって興味深いものである。
【０００５】
スパムと同様に、ＶｏＩＰに関して不所望な発呼（いわゆるＳＰＩＴ：インターネット電話におけるスパム）が増加するということが想定されるので、ＶｏＩＰプロバイダはＶｏＩＰ加入者を不所望な発呼から保護するために、ＳＰＩＴ発呼を阻止するための適切な措置を講じることになる。
【０００６】
大量メッセージを例えば音声記憶装置において識別し、必要に応じてそれらのメッセージを自動的に消去する、またはそのようなメッセージの発信者をいわゆる不所望な加入者のブラックリストに登録することが可能である。さらに、発声者識別システムを用いてメッセージからキーワードを抽出する、もしくは発声者識別システムを用いて合成的に作られたメッセージを識別することが可能である。
【０００７】
前述の措置においてはメッセージが不所望な大量メッセージであるの否か、例えば大量に送信された不所望な広告メッセージであるか否かは区別されない。したがって場合によっては所望の広告メッセージであっても、関連する加入者がその広告メッセージの内容を知ることなく消去されてしまう可能性もある。つまり、大量メッセージに対する既存の拒否措置を勘案すれば、関心を持つ受信者にメッセージを送信することは広告者にとって困難である。
【０００８】
今日のところＥメールスパムの領域においては既に自動化されたＥメール形成システムが使用されており、このシステムはメッセージの発信者名または一部を交換する。さらには、殊に重要なキーワードに書き間違いが体系的に挿入され、これは確かに受信者による識別を妨げるが、殊に自動的なテキスト分析による識別は十分に排除する。さらにはＨＴＭＬフォーマットによって、テキスト部分がＨＴＭＬソーステキストにおいては一貫性のあるものとして識別されることなく、このテキスト部分が読む側によっては一貫性のあるものとして読まれるようにスクリーン上に配列することも可能である。このようにして拒否措置は少なくとも部分的に回避される。
【０００９】
さらには今日既に予め準備されたテキストが電話により配布されている。通常の場合、発呼側の番号の一部と曜日が音声アナウンスシステムによってメッセージに挿入され、このメッセージが個別化される。もっとも音声メッセージのその種の変形形態は上述のシステムによって確実に識別されるので、広告者がメッセージを確実に配布することは困難である。
【００１０】
さらに、大量メッセージを形成するシステムをＳＰＩＴ識別システムに対するテストシステムとして使用することが考えられ、これにより既存のＳＰＩＴ識別システムが改善される。この様な場合の用途にとっても、公知の識別システムが存在するにもかかわらず大量に送信されるメッセージの配布を保証する方法が必要である。
【発明の開示】
【発明が解決しようとする課題】
【００１１】
したがって本発明の課題は、不所望な大量メッセージに対する拒否措置が存在するにもかかわらず、通信ネットワークにおいて複数の受信者に向けられるメッセージを形成および配布することができる方法と装置を提供することである。
【課題を解決するための手段】
【００１２】
方法に関する課題は、伝送すべきメッセージを、メッセージの内容的な意味を規定する少なくとも１つの意味論的な特徴と、メッセージの形態を規定する多数の形式的な特徴とによって特徴付け、伝送すべきメッセージに対して、メッセージの多数の固有特徴を形成し、メッセージの各固有特徴は形式的な特徴に関してある程度、メッセージの別の固有特徴とは異なり、メッセージの各固有特徴を少なくとも一人の受信者に送信することにより解決される。
【００１３】
装置に関する課題は、伝送すべきメッセージが、メッセージの内容的な意味を規定する少なくとも１つの意味論的な特徴と、メッセージの形態を規定する多数の形式的な特徴とによって特徴付けられており、伝送すべきメッセージの多数の固有特徴を形成する手段を有し、メッセージの各固有特徴は形式的な特徴に関してある程度、メッセージの別の固有特徴とは異なり、メッセージの各固有特徴を通信ネットワークにおける少なくとも一人の受信者に送信する手段を有することにより解決される。
【発明を実施するための最良の形態】
【００１４】
本発明の対象は通信ネットワークにおいて多数の受信者に向けられるメッセージを形成し配布するための方法であり、この方法においては伝送すべきメッセージが、メッセージの内容的な意味を規定する少なくとも１つの意味論的な特徴と、メッセージの形態を規定する多数の形式的な特徴とによって特徴付けられ、伝送すべきメッセージに対してこのメッセージの多数の固有特徴が形成され、メッセージの各固有特徴は形式的な特徴に関してある程度メッセージの別の固有特徴とは異なっており、またメッセージの各固有特徴は少なくとも一人の受信者に送信される。
【００１５】
さらに本発明は、本方法を実施する装置ならびに相応の通信ネットワークに関する。
【００１６】
本発明により、通信ネットワークにおいてＳＰＩＴ識別システムが存在しているにもかかわらず、多数の受信者に向けられるメッセージを例えば広告者が形成し配布することができるという利点がもたらされる。さらに、この種のシステムをＳＰＩＴ識別システムに対するテストシステムとして使用することが考えられる。
【００１７】
本発明の実施例を図面に示し、以下において詳細に説明する。
【実施例】
【００１８】
以下において「形式的な特徴」という概念は、形態すなわち殊に表示形式に関してメッセージを特徴付ける特徴であると解される。この特徴には殊に音響的および視覚的な特徴が属する。
【００１９】
「意味論的な特徴」という概念は以下において、メッセージを内容的に特徴付ける特徴であると解される。メッセージは殊に、このメッセージによって運ばれ、受信者側において認識可能である通知によって内容的に特徴付けられている。メッセージの意味論的な特徴、すなわちメッセージの内容は、メッセージの形式的な特徴、すなわち通知が例えば光学的および音響的にどのように処理されるかということには依存しない。
【００２０】
本発明によれば、伝送すべきメッセージがこのメッセージの内容的な意味を規定する少なくとも１つの意味論的な特徴と、メッセージの形態を規定する多数の形式的な特徴とによって特徴付けられる。伝送すべきメッセージに関してこのメッセージの多数の固有特徴が形成され、メッセージの各固有特徴は形式的な特徴に関してある程度メッセージの別の固有特徴と異なっている。メッセージの各固有特徴は例えばＶｏＩＰ通信ネットワークにおいて少なくとも一人の受信者に送信される。
【００２１】
固有特徴を形成するために用いられる方式に応じて、メッセージの２つの固有特徴の間には多かれ少なかれ相違が生じることになる。しかしながらメッセージの意味論的な意味、すなわち伝送される通知は如何なる場合においても変更されないままなので、各受信者はメッセージの他の全ての固有特徴とは異なるメッセージの固有特徴を受信したにもかかわらず同一の通知を認識する。
【００２２】
以下説明する、送信すべきメッセージの固有特徴を形成するための全ての実施形態に関して、メッセージの意味論的な特徴は伝送される通知によって、殊に音声媒体を用いて音響的に再生される音声情報、以下では音声部分とも称する、によって表される。音声とは、話すことによって発せられる音声および／または歌うことによって発せられる音声、すなわちメロディー的に再生される音声の意味において解されるべきである。メッセージの種々の固有特徴が多数の受信者に送信される。メッセージの固有特徴は以下説明する実施形態のうちの少なくとも１つにしたがい形成される。これらの実施形態および／または実施形態の個々の特徴の組み合わせも考えられる。
【００２３】
第１の実施形態：
メッセージの各固有特徴に対して、メッセージの過程において挙げられる種々の発信者名が使用される。発せられた多数の性および名を記録および記憶した後に、これらの姓名をメッセージの各固有特徴のために新たに組み合わせることができる。複数の姓名、例えば３つの名と複合人名として結合された２つの姓を組み合わせることもできる。このようにして非常に多くの種々の名前組み合わせを形成することができる。伝送される通知はこの措置によって変更されることはない。何故ならば、発信者名は通知にとって重要でない特徴を表すに過ぎないからである。上記において定義した意味における意味論はこれによって変更されない。
【００２４】
さらにメッセージの各固有特徴においては、発声者の声の大きさがパターンに応じて、例えば発声者の声が反復的に大きくなる、および／または、小さくなることに応じて種々に修正される。
【００２５】
第２の実施形態：
メッセージは音響的な部分を包含する。この音響的な部分は強いパルスを含む背景音と重畳される。このような背景音には例えば録音または人工的に形成された飲み屋の騒音または駅の騒音が適しており、これらがメッセージの各固有特徴に対して新たに合成される、および／または、新たに形成される。
【００２６】
第３の実施形態：
メッセージの音響的な部分に包含される音声部分は個々の単語および／または文章ならびにこれらの構成要素間の休止期間を含む。休止期間は時間的な延長に関してランダムに変化する。
【００２７】
第４の実施形態：
メッセージの音声部分は、文書形式での伝送すべき通知を内容とするテキストファイルに基づき、合成的な音声形成部を用いて形成される。メッセージの各固有特徴は（例えば基本周波数、フォルマント、アクセントの特性、話す速さなどに関する）個別的な発声者の特徴を用いて形成される。
【００２８】
発声者の特徴をさらに文章ごとおよび／または単語ごとに変更することができ、この変更はパターンに従い行われる。パターンをメッセージの各固有特徴に対して変更することができる。
【００２９】
第５の実施形態：
メッセージの音声部分は、文書形式での伝送すべき通知を内容とするテキストファイルに基づき、合成的な音声形成部を用いて形成され、発声者の特徴のメロディー的なヴァリエーションがメッセージの各固有特徴に対して歌っているような音声を形成するために使用される。
【００３０】
第６の実施形態：
メッセージに対して固有特徴がオーディオ部分およびビデオ部分を内容とするマルチメディアメッセージの形で形成される。アニメ化された発声者の顔はメッセージの音声部分と同期して動く。メッセージの各固有特徴に対して別の発声者の顔を使用することもできる。さらにメッセージの各固有特徴に関して、ビデオ部分に対して別の背景を選択することもできる。さらにはメッセージが広告メッセージとして自動的に識別されることを回避するために、背景を例えば光効果および／または動く対象によって動的に構成することができる。
【００３１】
第７の実施形態：
メッセージに対して固有特徴がオーディオ部分およびビデオ部分を内容とするマルチメディアメッセージの形で形成される。補完的に、アニメーションキャラクターのダンスシーンを有するビデオクリップを自動的に形成することができ、このビデオクリップはメッセージの固有特徴ごとに異なる。
【００３２】
図１は、第１の実施形態による送信すべきメッセージＮの固有特徴ＡＮを形成するためのジェネレータの第１の実施形態を示す。メッセージの固有特徴ＡＮは一連のブロックＮＥ，ＮＡ，ＮＨから構成され（ここでは例えば３つのブロック）、これらのブロックは部分的に事前に設定されており（ここではメッセージＮのアドレス／ヘッダＮＥおよびボディＮＨ）、また部分的に前述のシステムによって形成される（ここでは発呼側の加入者の名前情報ＡＮ）。
【００３３】
第１のステップＳ１１においては、名前情報ＮＡが相応のメモリＶＮＳ，ＮＮＳからの姓および氏の体系的または擬似ランダムな選択によって構成される。名前選択ＮＡのパターン形成部は一続きの姓および名を選択し、この姓名が続いて少なくとも１つの箇所においてメッセージＮの固有特徴ＡＮに挿入される。図示されている例においてこの名前選択ＮＡはメッセージ導入部ＮＥとメッセージ主要部分ＮＨとの間に挿入されている。
【００３４】
第２のステップＳ１２においては、メッセージＮの構成された固有特徴ＡＮの音量がランダムに形成されたパターンに従い変更され、したがってメッセージの新たな固有特徴ＡＮが形成される。
【００３５】
メッセージＮの固有特徴ＡＮは第３のステップＳ１３において、発信仲介業者を介して通信ネットワークＫＮ内の新たな電話番号またはＳＩＰアドレスへと送信される。これらの電話番号またはＳＩＰアドレスは目的番号リストＺＬから取得される。
【００３６】
メッセージＮの固有特徴ＡＮを送信するためのこの最後の第３のステップＳ１３は後続の図面において別個に示さない。
【００３７】
図２は、第２の実施形態２による送信すべきメッセージＮの固有特徴ＡＮを形成するためのジェネレータの第２の実施形態を示す。送信すべきメッセージＮは第１のステップＳ２１においてランダムな背景音と混合される。この背景音は音響メモリＧＳから取得される。この背景音が強いパルスを含むものである場合には有利である。メッセージの固有特徴ＡＮの送信は図１の構成に対応する。
【００３８】
図３は、第３の実施形態による送信すべきメッセージＮの固有特徴ＡＮを形成するためのジェネレータの第３の実施形態を示す。
【００３９】
先ず第１のステップＳ３１ではメッセージＮにおける単語間および／または文章間の休止期間が自動的に求められる。
【００４０】
第２のステップＳ３２ではこの休止期間がメッセージＮの固有特徴ＡＮにおいてランダムに延長される。この延長を事前処理の形で、例えば空白部分または背景音を挿入することによって、または再生プロセスの間の休止期間を識別することによって行うことができる。再生プロセスの休止期間が識別された場合には所定の期間にわたり再生プロセスが中断される。
【００４１】
図４は、第４の実施形態による送信すべきメッセージＮの固有特徴ＡＮを形成するためのジェネレータの第４の実施形態を示す。
【００４２】
メッセージＮにおいて伝送すべき通知はテキストファイルＴＤとして存在し、このテキストファイルは第１のステップＳ４１において音声合成プロセスによってオーディオファイルに変換される。
【００４３】
この変換のパラメータは例えば音声が休止する度にその都度第２のステップＳ４２において変更される（例えば文章または単語の変換後）。パラメータは例えば発声者の特徴、例えば基本周波数、フォルマント、アクセントの特性または話す速さなどを含む。第１のステップＳ４１および第２のステップＳ４２は、テキストファイルＴＤが完全にオーディオファイルに変換されるまで繰り返される。
【００４４】
図５は、第５の実施形態による送信すべきメッセージＮの固有特徴ＡＮを形成するためのジェネレータの第５の実施形態を示す。第４の実施形態と同様に、メッセージＮにおいて伝送すべき通知はテキストファイルＴＤとして存在する。第１のステップＳ５１においてはテキストファイルＴＤから音声合成によりオーディオメッセージｗａｖが形成される。
【００４５】
並行して行われるステップＳ５２においては音楽ジェネレータによって新たな音楽部分が形成される。この音楽部分は有利には２つのＭｉｄｉファイルの形で存在し、一方のファイルは和音を有するメロディーを包含し、他方のファイルは伴奏を包含する。
【００４６】
第３のステップＳ５３においては、伴奏がＭｉｄｉエキスパンダによってオーディオファイルに変換される。メロディーは第４のステップＳ５４においてメッセージのオーディオファイルと共にボコーダ（ハーモニジェネレータ、ヴォーカリスト、発声器（Vocalizer））に供給され、このボコーダは読み出されるテキストから１つまたは複数の歌声と共にオーディオファイルを形成する。
【００４７】
第５のステップにおいては形成された要素が伴奏のオーディオファイルと混合される。第４の実施形態と同様に、例えば発声者の特徴を変更することもできる。
【００４８】
図６は第５の実施形態の有利な構成を表す。最初の５つのステップＳ６１〜Ｓ６６は第５の実施形態の最初の５つのステップＳ５１〜Ｓ５５に対応する。この構成においては、例えば音楽部分を各目標加入者に対して個別に制御することができる。このために付加的な第６のステップＳ６６においては、メッセージＮの固有特徴ＡＮを送信する前に先ず加入者番号またはＳＩＰアドレスが目標番号リストＺＬから取得され、メッセージＮの固有特徴ＡＮが選択された加入者に応じて変更されて送信される。
【００４９】
図７は、第６の実施形態による送信すべきメッセージＮの固有特徴ＡＮを形成するためのジェネレータを示す。左上に示されているメッセージＮは例えば、メッセージＮの全ての固有特徴ＡＮに対して使用されるべきオーディオファイルの形で存在していてもよい。またはメッセージＮは上述の実施形態のいずれかに従いメッセージＮの新たな固有特徴ＡＮとして形成されたものでもよい。第１のステップＳ７１においては、オーディオファイルが発声者アニメーションモジュールに供給され、この発声者アニメーションモジュールはメッセージＮの固有特徴ＡＮに対して選択された発声者の顔を所定の視点から表現し、音声メッセージと共にアニメ化する。画像内の発声者の位置および倍率を何度も変更することができる。この変更は、発声者の顔のためのメモリＳＧからの発声者の顔の選択と同様に、メモリシステムにおける同一のメッセージの機械的な識別を困難にするためにメッセージＮの各固有特徴に対して異なるべきである。発声者の位置および倍率の変更を共通して処理される視点の変更に統合することもできる。
【００５０】
発声者のアニメーションと共に形成される前景フィルムに並行して、第２のステップＳ７２においては背景フィルムを形成することができる。この背景フィルムは、背景画像メモリＨＧから取り出されるランダムに選択されたおよび／または動的に変更された背景画像、および背景要素メモリＨＥから取り出された選択的で付加的な背景要素から構成されており、やはり選択的にランダムに動くことができる。
【００５１】
第３のステップＳ７３においては、前景フィルムと背景フィルムが組み合わされ、第４のステップＳ７４においてはサウンドトラックと共にメッセージＮの新たな固有特徴ＡＮに統合される。
【００５２】
第７の実施形態に関して、ビデオクリップが第５の実施形態の伴奏音楽のＭｉｄｉファイルによって制御されることも考えられる。
【００５３】
本発明の別の態様においては単一または複数のステップをソフトウェアまたはハードウェアとして実現することができる。
【００５４】
本発明の別の態様においては、第５の実施形態による音楽ジェネレータが複数のメロディー出力側を有し、この出力側は複数の音声ジェネレータと接続され、より複雑な音声文章を実現することができる。
【００５５】
本発明の別の態様においては、第５の実施形態による音声合成部を音楽ジェネレータを介して同期することができる。
【００５６】
本発明の別の態様においては、コンペティションにおいて比較することができるメッセージＮの新たな固有特徴ＡＮを形成するために、第５の実施形態および第７の実施形態に記載されているシステムを送信に依存せずに使用することができる。このために、パラメータをランダムに変更するだけでなく、手動で調節できるようにすることが推奨される。
【００５７】
別の発展形態においては、第５、第６または第７の実施形態によるシステムにより固有のサブカルチャも形成することができ、このサブカルチャにおいてはメッセージＮの殊に魅力的な固有特徴ＡＮが取り上げられて転送される。最後に、広告者は第５の実施形態によるシステムを市民に引き渡し、殊に出来の良い人気のある広告メッセージに関してコンペティションを開くことも考えられる。
【００５８】
本発明の別の態様においては、送信すべきメッセージＮおよびメッセージＮの固有特徴ＡＮがＶｏＩＰメッセージによって表され、これらのメッセージはＶｏＩＰ通信ネットワークにおいて送信される。
【００５９】
前述のシステムは主として専門的な広告者向けのものであるが、例えばボットネットにおいても使用することができる。このボットネットにおいては多数のＰＣが同時に使用されていることにより、メッセージ毎に高い計算能力が使用できる。択一的にシステムの一部をハードウェアにおいて実現することもできる。
【図面の簡単な説明】
【００６０】
【図１】第１の実施形態による送信すべきメッセージＮの固有特徴ＡＮを形成するためのジェネレータ。
【図２】第２の実施形態による送信すべきメッセージＮの固有特徴ＡＮを形成するためのジェネレータ。
【図３】第３の実施形態による送信すべきメッセージＮの固有特徴ＡＮを形成するためのジェネレータ。
【図４】第４の実施形態による送信すべきメッセージＮの固有特徴ＡＮを形成するためのジェネレータ。
【図５】第５の実施形態による送信すべきメッセージＮの固有特徴ＡＮを形成するためのジェネレータ。
【図６】第５の実施形態による送信すべきメッセージＮの固有特徴ＡＮを形成するための別のジェネレータ。
【図７】第６の実施形態による送信すべきメッセージＮの固有特徴ＡＮを形成するためのジェネレータ。
【図１】
2007329932.tif 000003
【図２】
2007329932.tif 000004
【図３】
2007329932.tif 000005
【図４】
2007329932.tif 000006
【図５】
2007329932.tif 000007
【図６】
2007329932.tif 000008
【図７】
2007329932.tif 000009